(57)【要約】【課題】ＢＷＲの炉水の酸化性化学環境が、原子炉冷却材系配管および容器内部に使用されるステンレス鋼とニッケルとをベースとする合金の粒界型応力腐食割れを助長する主な要因である。この割れは、水素注入を用いる出力運転中に典型的には軽減される。しかしながら、この方法は、原子炉が出力している場合に効果的であるにすぎない。【解決手段】したがって、本発明は、ＢＷＲ原子炉の起動段階中の電気化学的腐食電位を低下させる方法を提案する。この方法は、ＢＷＲ原子炉の電気化学的腐食を低減させるようになっている軽減添加剤を提供するステップと、オンライン化されている水素注入の前に所定位置でＢＷＲ原子炉に軽減添加剤を注入するステップとを含む。【選択図】図１
2010054499.tif 000002
【特許請求の範囲】
【請求項１】
ＢＷＲ原子炉を保護する方法であって、
ＢＷＲ原子炉の電気化学的腐食を低減させるようになっている軽減添加剤を提供するステップと、
オンライン化されている水素注入の前に、所定位置で前記ＢＷＲ原子炉に前記軽減添加剤を注入するステップとを含む方法。
【請求項２】
前記軽減添加剤がアミンである、請求項１に記載の方法。
【請求項３】
前記軽減添加剤がヒドラジンである、請求項１に記載の方法。
【請求項４】
前記軽減添加剤がカルボヒドラジドである、請求項１に記載の方法。
【請求項５】
前記軽減添加剤を使用して、摂氏６５度から摂氏１２１度へのプラント加熱中に溶存酸素を取り除く、請求項１に記載の方法。
【請求項６】
前記軽減添加剤が、液体溶液としての流動プラント水流に注入される、請求項１に記載の方法。
【請求項７】
前記軽減添加剤が、前記ＢＷＲ原子炉の原子炉水浄化系に注入される、請求項１に記載の方法。
【請求項８】
前記軽減添加剤が、前記ＢＷＲ原子炉の原子炉再循環系に注入される、請求項１に記載の方法。
【請求項９】
前記軽減添加剤が、前記原子炉再循環系の再循環ポンプ差圧計タップに注入される、請求項８に記載の方法。
【請求項１０】
前記軽減添加剤が、前記原子炉再循環系の原子炉水再循環ループに注入される、請求項８に記載の方法。
【請求項１１】
前記軽減添加剤が、前記ＢＷＲ原子炉の制御棒駆動系に注入される、請求項１に記載の方法。
【請求項１２】
前記軽減添加剤が、原子炉静水圧漏れ試験中に注入される、請求項１に記載の方法。
【請求項１３】
前記軽減添加剤が、原子炉出力が１％未満である場合に注入される、請求項１に記載の方法。
【請求項１４】
前記軽減添加剤が、原子炉出力が最大５％まで増大するさなかに注入される、請求項１に記載の方法。
【請求項１５】
起動中腐食からＢＷＲ原子炉を保護する方法であって、
ＢＷＲ原子炉の電気化学的腐食を低減させるようになっている軽減添加剤を提供するステップと、
静水圧試験中に前記ＢＷＲ原子炉に前記軽減添加剤を注入するステップとを含む方法。
【請求項１６】
再循環系サンプルラインおよび再循環ポンプ差圧タップからなる群から選択される位置で、前記静水圧試験中に前記ＢＷＲ原子炉に前記軽減添加剤が注入される、請求項１５に記載の方法。
【請求項１７】
初期加熱中に前記ＢＷＲ原子炉に前記軽減添加剤を注入するステップをさらに含む、請求項１５に記載の方法。
【請求項１８】
前記静水圧試験よりも前の初期容器充填中に、前記ＢＷＲ原子炉に前記軽減添加剤を注入するステップをさらに含む、請求項１５に記載の方法。
【請求項１９】
第１の原子炉再循環ポンプが起動し次第、前記ＢＷＲ原子炉に前記軽減添加剤を注入するステップをさらに含む、請求項１５に記載の方法。
【請求項２０】
前記軽減添加剤が、ヒドラジンおよびカルボヒドラジドからなる群から選択されるアミンである、請求項１５に記載の方法。
【発明の詳細な説明】
【技術分野】
【０００１】
本発明は、ＢＷＲ原子炉の腐食に関する。特に、本発明は、ＢＷＲ原子炉の起動段階中の電気化学的腐食電位を低下させる方法に関する。
【０００２】
本願は、２００８年７月３１日に出願された仮出願第６１／０８５，２６０号の利益を請求する。
【背景技術】
【０００３】
ＢＷＲの炉水の酸化性化学環境が、原子炉冷却材系配管および容器内部を構成するために使用されるステンレス鋼とニッケルとをベースとする合金の粒界型応力腐食割れ（ＩＧＳＣＣ）を助長する主な要因である。ＢＷＲにおける粒界型応力腐食割れ（ＩＧＳＣＣ）は通常、水素注入（ＨＷＣ）または水素注入を伴う貴金属注入（ＮＭＣＡ＋ＨＷＣ）による出力運転中に軽減される。
【０００４】
しかしながら、これらの方法は、原子炉が出力している場合に完全に効果的であるにすぎない。水素注入は、ＨＷＣ系の設計に応じて原子炉が運転温度にあり、また原子炉の出力が約５％〜３０％を超えるまで行われない。したがって、冷温停止中に大気にさらされることにより最初は溶存酸素レベルが高い原子炉水は、加熱および低出力運転中酸化性である。その結果、燃料補給停止後、ＨＷＣが有効となる前に最高亀裂進展速度が現在のところ起動中に生じる。さらに、電気化学的腐食電位（ＥＣＰ）が非常に高い。
【０００５】
運転温度においてよりも、プラント起動および停止プロセス中の中間温度においてＩＧＳＣＣ速度が速いことをデータが示している。その結果、水素注入が行われていない場合に、プラント停止プロセス中および燃料補給または周期中間における停止からの起動中に割れが始まることがあり、また亀裂成長が生じることがある。ＮＭＣＡ＋ＨＷＣを伴うユニットでは、起動および停止プロセス中の亀裂成長により、水素注入が行われた後であっても既存の亀裂が成長し続けることができる亀裂フランキング（ｃｒａｃｋ  ｆｌａｎｋｉｎｇ）が生じることがある。
【発明の概要】
【発明が解決しようとする課題】
【０００６】
したがって、ＢＷＲ原子炉の起動段階中の電気化学的腐食電位を低下させる方法が必要である。
【０００７】
先行技術のこれらのおよび他の欠点は本発明によって対処される。本発明は、起動段階中ＢＷＲ原子炉にアミンを注入することによってＢＷＲ原子炉の起動段階中の電気化学的腐食電位を低下させる方法を提供する。
【課題を解決するための手段】
【０００８】
本発明の一態様によれば、ＢＷＲ原子炉を保護する方法が、ＢＷＲ原子炉の電気化学的腐食を低減させるようになっている軽減添加剤を提供するステップと、オンライン化されている水素注入の前に所定位置でＢＷＲ原子炉に軽減添加剤を注入するステップとを含む。
【０００９】
本発明の別の態様によれば、起動中腐食からＢＷＲ原子炉を保護する方法が、ＢＷＲ原子炉の電気化学的腐食を低減させるようになっている軽減添加剤を提供するステップと、静水圧試験中にＢＷＲ原子炉に軽減添加剤を注入するステップとを含む。
【００１０】
添付の図面と併せて以下の説明を参照することによって、本発明を最も良く理解することができる。
【図面の簡単な説明】
【００１１】
【図１】ＥＣＰ対温度を示す。
【図２】ＥＣＰ対温度を示す。
【図３】ＲＷＣＵ注入点を示す。
【図４】追加のＲＷＣＵ注入点を示す。
【図５】ＲＰＶ静水圧試験の図である。
【図６】原子炉冷却材温度データを示す。
【図７】ＢＷＲ起動プロセスの図である。
【図８】起動中のプロセスフロー図である。
【図９】原子炉冷却材および復水の溶存酸素濃度を示す。
【発明を実施するための形態】
【００１２】
通常水質（ＮＷＣ）の下では、一次系材料のＥＣＰが、典型的には０〜＋２５０ｍＶ（ＳＨＥ）の範囲にある。しかしながら、増感ステンレス鋼のＥＰＣが−２３０ｍＶ（ＳＨＥ）未満まで低下し、原子炉冷却材の導電率が２５℃（７７°Ｆ）で０．３μＳ／ｃｍ未満である場合に、ＢＷＲ配管の粒界型応力腐食割れ（ＩＧＳＣＣ）が軽減されることが試験により示されている。現在、原子炉水への水素注入を行うことによって、定格出力動作条件時にＩＧＳＣＣが軽減される。これにより、ステンレス鋼とニッケルとをベースとする合金の電気化学的腐食電位（ＥＣＰ）が低減され、それによりＩＧＳＣＣが軽減される。
【００１３】
水素注入（ＨＷＣ）は、配管ならびに原子炉内部の保護を対象にしている。水素添加により、炉心領域中の水の放射線分解が抑制され、それにより酸素や過酸化水素などの酸化種の形成が減少する。この水素注入は、下降管領域で過剰の溶存水素も提供し、これにより再循環水中の残留酸化剤の放射線再結合が促進される。原子炉水中の酸化剤の濃度が３ｐｐｂ（等価Ｏ２）未満まで低減されている領域においては、ＩＧＳＣＣのＥＣＰ駆動力がなくなる。ＨＷＣの欠点は、ＨＷＣにより主蒸気管放射線レベルが、Ｎ−１６の生成および蒸気によるキャリーオーバー（ｃａｒｒｙｏｖｅｒ）のために水素注入なしのレベルの数倍分増加することである。
【００１４】
貴金属注入を伴う水素注入（ＮＭＣＡ＋ＨＷＣ）により、主蒸気管放射線レベルの大幅な増加なくＨＷＣのＩＧＳＣＣ保護を実現する手段が提供される。ＮＭＣＡは、原子炉冷却剤と接触している浸水表面上への少量の貴金属（すなわち、白金、ロジウム）の堆積を伴う。これらにより、それら表面における、水素の酸素および過酸化水素との再結合反応が触媒される。処理済み表面のＥＣＰ応答は白金のＥＣＰ応答と類似している。原子炉水中の全酸化剤に対する水素のモル比が２以上の値に達すると保護ＥＣＰは実現され、この値には、ＨＷＣに必要とされる給水水素濃度よりも約一桁少ない非常に低い給水水素濃度（通常０．１ｐｐｍ〜０．３ｐｐｍ）で到達する。
【００１５】
ＮＭＣＡの大きな利点は、低い水素添加レベルではＮ−１６放射能による主蒸気管放射線の増加がほとんどない、または全くないことである。しかしながら、水素が利用不可能である期間中に起こる、または伝播することがある割れが、水素が取り戻される場合には軽減されないことがある。亀裂が限界長さを超えて成長すると、バルク水中の酸化剤が新たな亀裂表面のＥＰＣを−２３０ｍＶ（ＳＨＥ）を超えて上昇させることがある。この現象は「亀裂フランキング」と称される。
【００１６】
材料への温度の影響も、ＩＧＳＣＣにおいては重要となることがある。利用可能なデータに基づくと、純度が比較的高い／非過渡の（ｎｏｎ−ｔｒａｎｓｉｅｎｔ）／アクションレベル１を下回るＢＷＲ環境中においては、タイプ３０４ステンレス鋼や６００合金などのＢＷＲ構造材料の亀裂進展速度が、約１５０℃〜２００℃（３０２°Ｆ〜３９２°Ｆ）で最大値に到達する。純度が低い／過渡型環境（たとえば、＞１μＳ／ｃｍ）中においては、温度の上昇に伴って亀裂進展速度が増大することが予想される。
【００１７】
本発明においては、約３８℃（１００°Ｆ）未満から、１５０℃〜２００℃（３０２°Ｆ〜３９２°Ｆ）温度範囲を通じ正常な運転温度約２８８℃（５５０°Ｆ）まで、早期起動プロセス中原子炉内部および再循環配管のＥＣＰを低下させるために、ヒドラジンおよびカルボヒドラジドを含めたアミン類などの添加軽減添加剤を使用する。
【００１８】
ヒドラジンは酸素と以下のように反応する。
Ｎ２Ｈ４＋Ｏ２→Ｎ２＋２Ｈ２Ｏ
反応生成物、窒素および水は、ＢＷＲにおいて腐食の懸念をもたらすことがない。カルボヒドラジドは酸素と直接反応して、窒素、二酸化炭素および水を生成する。
２Ｏ２＋（Ｎ２Ｈ３）２ＣＯ→２Ｎ２＋３Ｈ２Ｏ＋ＣＯ２
【００１９】
ヒドラジンと同様に、カルボヒドラジドの酸素との反応の速度は、温度が上昇するにつれて、またはより高いｐＨでは増大する。温度が上昇するにつれて、ヒドラジンと二酸化炭素とへのカルボヒドラジド分解が顕著となるため、酸素との反応が直接（上述のように）起こることも、または生成されたヒドラジンと間接的に起こることもある。
Ｈ２Ｏ＋（Ｎ２Ｈ４）２ＣＯ→２Ｎ２Ｈ４＋ＣＯ２
２Ｏ２＋２Ｎ２Ｈ４→２Ｎ２＋４Ｈ２Ｏ
カルボヒドラジドは、温度が１２１℃（２５０°Ｆ）を超えるとヒドラジンに分解し始め、１７６℃（３５０°Ｆ）でほぼ完全にヒドラジンに分解する。
【００２０】
プラントが６５℃〜１２１℃（１５０°Ｆ〜２５０°Ｆ）の加熱状態にある間に、ヒドラジン処理を使用して溶存酸素を取り除くことができる。ヒドラジン処理は、溶存酸素が機械的方法によって数ｐｐｍにまで低減されている場合に最も有効である。ヒドラジンは加熱プロセス中早期に添加すべきである。というのは、より低温では減速して反応が進行するように時間を見込んで温度が６５℃（１５０°Ｆ）に到達するためである。反応速度論は、温度が９３℃〜１２１℃（２００°Ｆ〜２５０°Ｆ）に上昇するにつれて大幅に向上する。
【００２１】
ヒドラジン注入により、９３℃〜２０４℃（２００°Ｆ〜４００°Ｆ）の温度範囲にわたって、未処理膜状試料のＥＣＰよりもＮＭＣＡ処理済み試料の測定ＥＣＰが大幅に減少することを、ループ試験結果が示している。このことは、ＮＭＣＡ処理により表面における酸素／ヒドラジン反応の触媒効果が高まることを示す。これらの結果は、ヒドラジン対酸素濃度比が増大されるにつれて、また温度が上昇するにつれてＥＣＰが減少することも示している。ＮＭＣＡ処理済み試料を用いると、ヒドラジン注入なしの２ｐｐｂ未満の酸素における測定ＥＣＰと比較して、９３℃〜１４９℃（２００°Ｆ〜３００°Ｆ）では酸素を超える過剰なヒドラジンにより大幅なＥＣＰ減少が実現されるが、一方２０４℃（４００°Ｆ）では、試験した範囲にわたるヒドラジン注入ありのＥＣＰが、２ｐｐｂ未満の酸素によるＥＣＰと類似している。２ｐｐｂ未満の酸素におけるＥＣＰと比較して９３℃および１４９℃（２００°Ｆおよび３００°Ｆ）におけるヒドラジン注入ありのあらかじめ薄膜で覆った未処理試料のＥＣＰ減少は、ヒドラジン対酸素比が大きくても、ＮＭＣＡ処理済み試料についてのＥＣＰ減少よりも小さい。
【００２２】
２ｐｐｂ以下の酸素濃度で低温におけるＥＣＰに近いＥＣＰ（ＳＨＥ）では、５〜１０を超えるヒドラジン対酸素比が確立される場合に、ヒドラジン注入によって軽減を実現することができることを試験結果が示した。上述のループ試験による２ｐｐｂ以下の酸素濃度における測定ＥＣＰ値を、図２に示す。これらの結果を２６０℃（５００°Ｆ）に当てはめると、未処理試料については−２３１ｍＶ（ＳＨＥ）のＥＣＰ値が、ＮＭＣＡ試料については−５３２ｍＶ（ＳＨＥ）のＥＣＰ値が示される。
【００２３】
あらかじめ薄膜で覆った未処理試料の消極的反応は予期しなかった。というのは、酸素を５ｐｐｂ未満まで減少させた場合は、動作温度における−５００ｍＶ（ＳＨＥ）以下の腐食電位を貴金属コーティングの非存在下で実現することができることを、実験室および操作の経験が示しているからである。図１からのＯ２が２５０ｐｐｂのデータに関連して、ＮＭＣＡ処理試料についての曲線を使用して、様々な温度においてＩＧＳＣＣ軽減に関連するＥＣＰ抑制を確立することができる。たとえば、９３℃（２００°Ｆ）では、ＥＣＰを８０ｍＶ超減少させなければならず、１４９℃（３００°Ｆ）では２９０ｍＶ超、２０４℃（４００°Ｆ）では５００ｍＶまで減少させなければならない。
【００２４】
停止から出力全開までの典型的なプラント起動展開中、原子炉冷却材温度が９３℃（２００°Ｆ）を超え、またＩＧＳＣＣが軽減されないかなりの期間がある。というのも、水素注入は出力が３０〜５０％になるまで開始されないからである。この期間は、原子炉容器再組立ておよび圧力漏れ試験によるものである。原子炉冷却材温度は燃料補給条件時には４９℃（１２０°Ｆ）未満に維持されるが、容器圧力漏れ試験（静水圧試験）中には１００℃（２１２°Ｆ）よりも高くまで温度が上昇する。原子炉ヘッドのセッティング（ｓｅｔｔｉｎｇ）およびテンショニング（ｔｅｎｓｉｏｎｉｎｇ）を支援するために、冷却材温度を最初に通常の停止温度よりも高く上昇させる。ヘッドがテンショニングされると、プラントが圧力漏れ試験に対し準備を整えられる。
【００２５】
プラント手順書により、圧力漏れ試験中の加熱および冷却速度についての制限が設けられている。試験中１００℃（２１２°Ｆ）を上回る時間はプラントに特有で、試験の範囲に応じて変わることがある。たとえば、この時間は、短ければ４〜８時間、長ければ１２〜２４時間の範囲に及ぶ。漏れ試験が完了した後、停止時冷却を用いて冷却材温度を９３℃（２００°Ｆ）未満まで下げる。ステーションが最終的な原子炉再組立てを完了すると、この温度は典型的には５４℃〜６５℃（１３０°Ｆ〜１５０°Ｆ）に維持される。最終的な原子炉再組立てを完了するためには、成功した漏れ試験の後１〜２シフト（１２〜２４時間）が通常必要とされる。
【００２６】
起動に向けた準備中、制御棒駆動装置（ＣＲＤ）、原子炉水浄化系（ＲＷＣＵ）および復水系が稼働中で、長経路給水フラッシュを完成させる。原子炉ヘッド通気口は開いている。復水系は最初、稼働中の１つまたは複数の脱塩器により短経路再循環で動作している。
【００２７】
起動すると、停止時冷却が確保され、原子炉再循環ポンプを始動させる。最初の制御棒の引き抜きによって原子炉を臨界条件とし、９３℃（２００°Ｆ）を上回る加熱が開始する。最初は、原子炉容器内で数ポンドの圧力が確立されるまで、原子炉ヘッド通気口は開いていてよい。主復水器に任意の濃縮液体を向かわせるために、主蒸気管ドレンもまた同様に開いている。復水器真空度は最初、機械的真空ポンプを用いて確立され、その後原子炉圧力が２００ｐｓｉｇ〜３００ｐｓｉｇまで上昇し、十分な蒸気流量が入手可能となったら、蒸気式空気抽出器系を用いて確立される。
【００２８】
１００ｐｓｉｇの原子炉圧力では、蒸気式空気抽出器（ＳＪＡＥ）およびオフガス予熱器を主蒸気へと切り替える。原子炉圧力容器（ＲＰＶ）レベルをもはやＣＲＤ流量によって維持することができない場合には、ホットウエルへのＲＷＣＵブローダウンを確保する。第１のタービンバイパス弁が、約１５０ｐｓｉｇの原子炉圧力で約１０〜２０％開いている。
【００２９】
主蒸気流は、タービンバイパス弁を通って主復水器へと送られる。復水／給水流量が増大するにつれて、必要に応じ追加のポンプを使い始める。原子炉圧力が約１０００ｐｓｉｇまで増大したら原子炉をＲｕｎモードにし、その後主要タービンを回し、発電機をグリッドに同期させる。次いで、１００％の出力が確立されるまで、プラントの技術仕様書の制限内速度で出力上昇が継続する。
【００３０】
原子炉圧力容器漏れ試験は重要である。というのは、試験中の温度が９３℃（２００°Ｆ）を超えるまで上昇し、９３℃（２００°Ｆ）を上回って費やす時間はＩＧＳＣＣが軽減されない時間と見なされるからである。
【００３１】
制御棒の引き抜きは、冷却材温度が１００℃（２１２°Ｆ）になるまで継続し、この時点で主蒸気隔離弁（ＭＳＩＶ）を開くことができる。ＭＳＩＶを開くための要件は、ＲＰＶ圧力が正でなければならないことである。１００°Ｆ／時間未満で加熱速度を維持しながら棒の引き抜きを継続する。原子炉冷却材溶存酸素ホールドポイントが、５０ｐｓｉｇ（２９６°Ｆまで）を超える前に確立される。
【００３２】
最初の制御棒の引き抜きの時間から、原子炉冷却材温度が９３℃（２００°Ｆ）に達する時間までは、通常約４時間である。ヒドラジン注入は、停止時冷却を確保した直後に始まる必要があり、温度が最初に９３℃（２００°Ｆ）に達した際に可用性が失われないことを確実にするために、第２の原子炉再循環ポンプを始動させる。ヒドラジン注入は、第２の原子炉給水ポンプが稼働中となるまで開始することができない。このことは、主発電機をグリッドに同期させた後、約３３％の出力で生じる。冷却材が最初に９３℃（２００°Ｆ）に達してから第２の給水ポンプを稼働させるまでの時間は、遭遇する問題と、特定の起動中に必要とされる原子炉隔離時冷却（ＲＣＩＣ）や高圧注入冷却（ＨＰＩＣ）操作性試験などの監視試験の数とに応じて大幅に変化することがある。試験中、原子炉圧力は一定に維持される。この期間中の冷却材温度は、より速い亀裂進展速度が生じることがある中間範囲内にある。
【００３３】
燃料補給停止からのプラント起動中、通常水素注入系を始動させる前に原子炉冷却材温度が７２時間またはそれ以上９３℃（２００°Ｆ）を超えることがあることが考えられる。
【００３４】
ヒドラジンまたはカルボヒドラジドを、液体溶液としての流動プラント水流に注入する。化学薬品注入を行うことになる起動のすべての段階において同じ注入系を使用することができると好ましいはずである。
【００３５】
化学薬品注入スキッドを使用することになるが、このスキッドは、溶液タンクと、定量ポンプと、弁と、管類と、計装と、制御機器とを備える。化学薬品を化学薬品注入スキッドから計量し駆動水スキッドへと送る。この駆動水スキッドは、ポンプと、流量計測器と、制御機器とを備え、プラントプロセスラインへと化学薬品導入用希釈水を提供する。
【００３６】
複雑さを最小限に抑えるために、選択する注入位置の数を制限することが好ましい。単一の位置であれば、化学薬品を複数の位置へ十分な量輸送する物流を考慮する必要が回避され、また２つ以上の注入系が必要となる可能性が回避されるはずである。ある位置から別の位置へ化学薬品を移動させると、流出の危険性が増大することがあり、このことは、プラント、ＨＶＡＣおよびドレンへの人員アクセスに影響を及ぼすことがある。
【００３７】
本明細書中では、３つの注入位置について議論する。第一は、ＲＷＣＵ廃液系への注入である。原子炉容器圧力漏れ試験（浄化脱塩容器がバイパスされている）中、また加熱および起動プロセス全体を通して、流れは通常ＲＷＣＵ系を循環している。ＲＷＣＵ系の入口は原子炉再循環ループからと、容器底部ドレンからで、大部分のプラントが、この流れから原子炉サンプルパネルへと送られる通常原子炉水サンプルを引き込む。大部分のプラントにおけるＲＷＣＵ戻り流が、給水加熱器すべての下流の、また原子炉容器接続部のすぐ上流の給水系へと向かう。ＲＷＣＵ戻り流経路は、再生熱交換器の殻側を通る。電位注入抱き合わせ（ｔｉｅ−ｉｎ）位置は、再生熱交換器の上流であっても下流であってもよいが、原子炉容器に入る前のヒドラジン反応についての接触表面積を最小限に抑えるためには、下流が好ましいことになる。ＲＷＣＵ構成材料の大部分が炭素鋼である場合、注入点は、流動加速腐食の問題に対処するためにＲＷＣＵ還元が給水系と結合する地点にできるだけ近いべきである。
【００３８】
ＢＷＲ−４の設計におけるＲＷＣＵ系に対する化学薬品注入向けの可能な抱き合わせ位置の例を図３に示す。図３は、確実に系を起動に向けて適切に通気し、維持のために排水することができるように配管に多くの接続タップが備わっている典型的なＲＷＣＵ系構成である。
【００３９】
容器の静水圧試験中および初期加熱中は、実質的には給水流がない。抱き合わせ地点における給水配管は、停止であってもプラント特有であってもよい静水圧試験についての限界に応じて、完全であっても不完全であってもよい。ＲＷＣＵ戻り流のみであれば、給水配管における速度は遅く、このことは、ヒドラジン分解用炭素鋼給水パイプ表面との滞留および接触時間を増大させる。
【００４０】
ヒドラジンを原子炉水再循環系に直接添加することができる第２の注入位置は、原子炉再循環系内にある。この手法は、古典的な貴金属用途に使用される注入手法と類似している。原子炉水再循環系への古典的な貴金属注入のために通常使用されるタップは、再循環ポンプ差圧計タップ、または再循環ポンプ流量計タップである。主要格納容器の外側でアクセスすることができるこれらのタップは直径が小さく、主要格納容器の外側への原子炉冷却材の目に余る漏れを防止するために過流量逆止め弁を典型的には含む。
【００４１】
別の注入位置として可能性があるのは、再循環系サンプル点（ｓａｍｐｌｅ  ｐｏｉｎｔ）の根元接続部への位置など、原子炉水再循環ループへの位置である。これを図４に示す。大部分のＢＷＲにおいて、このサンプル点が、原子炉水再循環ポンプの１つの排気配管からとなっている（図４に示す例については、サンプル点接続部が「Ｂ」原子炉再循環ポンプ放出内にある）。このサンプル系は通常、機内および機外格納容器隔離弁を含む。配管は、燃料補給停止中に格納容器隔離弁の極部漏洩速度試験（ＬＬＲＴ）を行うために使用するドレン接続部を典型的には含む。ＬＬＲＴドレン接続部一式は、典型的には格納容器の外側、機外隔離弁のすぐ上流に位置する。考えられる限りでは、機外格納容器隔離弁を閉じ、機内弁を開き、格納容器隔離弁間のＬＬＲＴドレン接続部にヒドラジンを注入することができる。再循環ポンプ差圧または流量計ラインへの注入と異なり、油圧感知計測器は影響を受けない。大部分のプラントで、主要な原子炉冷却材サンプル点がＲＷＣＵ系への入口の中にあり、このサンプルは、原子炉再循環系サンプル地点を用いることで影響を受けることはないはずである。しかしながら、注入に使用する原子炉再循環系サンプル点は、化学薬品を注入している場合には、代替または予備サンプル点としては利用不可能となってしまう。原子炉再循環系サンプルラインは、化学薬品注入後使用前に十分にすすがなければならなくなる。
【００４２】
格納容器の外側、機外隔離弁の上流のＬＬＲＴ接続部が利用不可能である場合、機外格納容器隔離弁の下流の原子炉再循環サンプルラインに化学薬品注入ラインを接続することが可能となることがある。これは、別のドレンライン接続部を通っていても、化学サンプルステーションにおけるサンプルライン抱き合わせの直前であってもよい。再循環系注入点地点は、ＲＷＣＵ系注入点に比べ、ＲＷＣＵポンプ操作性に依存しないという利点を提供する。
【００４３】
図４に示すプラント構成では、「Ｂ」再循環系サンプルタップは、耐久性モニタにも流れを供給する。一方、大部分のプラントでは、通常原子炉冷却材サンプル流および耐久性モニタへの流れを、ＲＷＣＵ系入口から取り込むため、上述のような再循環系への注入が実行可能である。
【００４４】
再循環ループにおいて、また下降管においてＩＧＳＣＣの軽減が望まれる場合、ループは共に、両ループに注入されたヒドラジンにより稼動中となるべきである。両再循環ループ（２ループプラント）への化学薬品注入が有効性を確保するために必要となる場合、おそらく一方のループには計器タップを使用しなければならないが、他方のループにはサンプル／ＬＬＲＴ接続部を使用することができるはずである。注入点の実際の選択は、サイト特有となるはずである。
【００４５】
ＲＷＣＵ戻りラインを通る給水へのヒドラジン注入は、炉心流量域を回避し、下降管の上端へヒドラジンを運ぶ利点を有し、このことは、炉心隔壁Ｏ．Ｄ．の、またジェットポンプビームや再循環ライザー溶接をはじめとする下降管構成部品のＩＧＳＣＣが軽減されるよう十分にヒドラジン対酸化剤比を確実に高くするには有益である。これは、復水をフラッディング（ｆｌｏｏｄｉｎｇ）に使用する場合には、ハイドロ試験のための氾濫（ｆｌｏｏｄｕｐ）中に優れた注入点となることがある。しかしながら、復水流なしのＲＷＣＵ運転中、給水ラインを通る流量は小さくなる（１％ＲＷＣＵ系による全出力の１％まで）が、プラントの幾何学的形状に応じて体積は大きくなることがある。炭素鋼配管との表面触媒反応によって、ヒドラジンのかなりの損失が生じることがある。この注入モードでは、容器および再循環系全体にヒドラジンの均一な分布をもたらすために、両方の再循環ループが運転中であるべきである。
【００４６】
炉心スプレーによるハイドロ試験用に氾濫するプラントでは、アクセス可能な接続部が利用可能である場合には炉心スプレー系に化学薬品を注入することが可能となることがある。低圧炉心スプレー系は、注入に使用することができるポンプ吸引時の試験用接続部を典型的には備える。
【００４７】
第３の注入位置はＣＲＤ系内にある。ＣＲＤ系は、冷温停止から出力運転を通して稼働中で、したがって好都合な電位の化学薬品注入位置を提供する。関心深いプラント加熱および起動期間中、復水脱塩器廃液からＣＲＤ吸引水が供給されるため、ＣＲＤ吸引水への注入は、復水脱塩器系廃液温度および圧力で行うことになる。注入点は、ＣＲＤポンプ配管と関連しているドレン接続部においてとなるはずである。
【００４８】
注入が起こることになる段階が３つある。第１段階において、原子炉容器からの通気がごくわずかである場合には、原子炉静水圧漏れ試験および起動時の初期加熱中にヒドラジン注入が起こることになる。第２段階において、原子炉出力が非常に低く（＜１％）、蒸気流量がごくわずかである場合には、水素注入が起こることになる。第３段階において、出力が最大５％まで増大し、蒸気流量が重大となる場合には、水素注入が起こることになる。
【００４９】
ＲＰＶ静水圧試験は、原子炉冷却材温度が９３℃（２００°Ｆ）を上回るまで加熱される起動向け準備の初期段階（第１段階）を表している。ＲＰＶ静水圧試験中重要となるプラントシステムの簡略プロセス図を図５に示す。この図は、ＲＷＣＵ浄水機器がバイパスされて作動するＲＷＣＵ系を示している。ＣＲＤが容器に復水を供給し、通常主復水器へと送られるＲＷＣＵからの降下流路が存在する。図５に示す流路は、復水貯蔵タンク（ＣＳＴ）へと手配されたＣＲＤ吸引水を示すが、復水ポンプが作動し、復水脱塩器系が利用可能である場合には、復水脱塩器系廃液からＣＲＤ吸引水流を提供することができる。原子炉再循環ポンプ熱を用いて９３℃（２００°Ｆ）を上回るまで温度を上昇させる。先に議論した、ヒドラジン注入点として可能性のあるものを図５に示す。
【００５０】
ＢＷＲ−４におけるＲＰＶ静水圧試験の前、最中および後の原子炉冷却材温度データ例を図６に示す。この展開では、原子炉冷却材温度が約１２９℃（２６５°Ｆ）でピークに達し、総時間約１８時間の間９３℃（２００°Ｆ）を上回った。この例では、９３℃（２００°Ｆ）を上回る時間が１８時間だったが、容認し難い漏れにより試験を繰り返さなければならなかった場合には、この時間がより長くなる可能性がある。
【００５１】
図６に示す例では、約５６℃（１３３°Ｆ）の初期レベルから約６７℃（１５３°Ｆ）へと、冷却材温度を段階的に上昇させ、加熱の開始前約５時間は温度が一定のままであった。６７℃（１５３°Ｆ）から９３℃（２００°Ｆ）超えるまで温度を上昇させるために約６時間かかった。温度が約８８℃（１９０°Ｆ）に達すると最初に原子炉圧力の上昇が示され、約１０６７ｐｓｉｇのピーク圧力に約９時間で達した。ピーク圧力を約５時間の間保持した。その後圧力を約２８ｐｓｉｇまで下げた。圧力試験の完了後、温度はピーク値の１２９℃（２６５°Ｆ）から９３℃（２００°Ｆ）超まで約３時間で低下した。
【００５２】
冷却材温度が９３℃（２００°Ｆ）を超えた時点で十分なヒドラジンが確実に存在するように、注入がより早く始まる必要がある。したがって、静水圧試験の前最初の容器充填中にヒドラジン添加を開始することが有利となるはずである。容器充填にかかる時間は、プラント特有の手順に依存する。充填開始時に水レベルが、正常な運転レベルである場合には、静水圧試験に必要なレベルに達するために、大量の水を添加しなければならなくなる。
【００５３】
加えて、冷却材温度が６５℃から９３℃（１５０°Ｆから２００°Ｆ）へと上昇する６時間の間にヒドラジンを注入することもできる。この期間中、ＣＲＤ流量により原子炉容器へと酸素が輸送され、また炉心ガンマ線束（ｃｏｒｅ  ｇａｍｍａ  ｆｌｕｘ）からの過酸化水素の生成が継続するはずである。ＲＷＣＵからの降下流も同時に起こる。
【００５４】
温度が９３℃（２００°Ｆ）を超える温度に達した後、追加のヒドラジンを添加しなければならないことがある。静水圧試験中にＣＲＤを介して添加される水が空気飽和レベルに近づくことがあるが、これは大部分のプラントでそのとき復水器真空度が確立されないためである。可能な場合には、ＥＣＰデータを使用して、追加のヒドラジンが必要となるかどうかを判断することができる。
【００５５】
静水圧試験中は、再循環系サンプルラインまたは再循環ポンプ差圧もしくは流量タップを通じての注入が、ＲＷＣＵへの注入よりも好ましい。給水流がないため、ＲＷＣＵの流れからの大型の給水パイプ中における速度が非常に遅い。再循環系への注入により、配管内および原子炉容器中でより良い混合がもたらされるはずである。
【００５６】
静水圧試験中、水中の酸素源は空気飽和からであって、放射線分解からではない。他の発生源がないと仮定すれば、酸素の在庫量を消費するためには少なくとも等量のヒドラジンが必要となる。酸素とのヒドラジン反応の速度は、加熱前の低温（４９℃または１２０°Ｆまで）では遅いことが示され、原子炉水温度がより高く、反応がより急速に進行する９３℃（２００°Ｆ）に近づくまでヒドラジン注入を遅らせることが賢明であることがある。残留ヒドラジンおよびその分解生成物は、下降流により取り除かれるはずである。
【００５７】
必要となるヒドラジンの量を最小限に抑えるために、実用的な範囲で機械的手段によって原子炉水から酸素を取り除くべきである。利用可能な機械的手段は、機械的真空ポンプを用いて復水器真空度を確立すること、および原子炉容器を真空に引くことが可能となるように主蒸気ラインドレンを開く（ヘッド通気口も開いていなければならない）ことになる。
【００５８】
静水圧試験の後、ヒドラジン注入の次の機会は、初期加熱中および早期起動中である。ヒドラジンを静水圧試験中に添加した場合、ＣＲＤからの連続入力のために、静水圧試験が完了した後冷却材中の溶存酸素レベルが増大することになる。典型的には、静水圧試験が完了した後２４時間以内に起動が始まる。この期間は、緊急の作業または課題のためにより長くなることがあり、これにより起動時の溶存酸素含有量がさらに増大することがある。
【００５９】
早期起動段階において、原子炉冷却材への酸素入力は復水／給水からで、原子炉臨界を確立する際の放射線分解からの寄与は小さい。最初は、復水／給水系から原子炉容器に入る水が、空気からの酸素溶解により多いが、復水器真空度の確立を受けて酸素含有量が減少する。加熱中、機械的真空ポンプを用いて最初の復水器真空度を確立した場合、原子炉冷却材溶存酸素は通常約２５０ｐｐｂである。冷却材中の溶存酸素レベルは、溶解度の低下により温度が上昇するにつれて減少し始めることになる。復水の酸素含有量を１００ｐｐｂ未満にまで下げるためには、蒸気式空気抽出器系の運転が通常必要となる。開いたＭＳＩＶおよび主蒸気ラインドレンによる復水器真空度の確立により、原子炉容器から加熱により放出される酸素が引き出される。
【００６０】
最初に制御棒を移動させる前に、プラント手順では、原子炉再循環系の始動および停止時冷却の確保が必要となる。これは、ヒドラジン注入の開始に適した時期となる。というのも、再循環ポンプの始動により原子炉容器内における混合がもたらされるからだ。
【００６１】
第２段階においては、加熱が始まると、原子炉温度が約１７７℃（３５０°Ｆ）に達するのに長くはかからない（６〜１０時間）。この温度における対応する原子炉圧力は、約１３４ｐｓｉｇである。この時点で、かなりの蒸気通気が生じる。タービンバイパス弁を開き、ＨＰＣＩおよびＲＣＩＣタービン駆動ポンプ（大部分のプラントにおける設計）を用いて操作性試験を行い、一部のステーションにおいては、蒸気式空気抽出器を稼働させるための十分な蒸気流量がある。温度が２６０℃（５００°Ｆ）を上回るまで上昇するにつれて酸素含有量が減少し続け、このことは放射線分解からの入力が少ないことを示している。出力上昇が継続するにつれて、溶存酸素源が主に放射線分解からとなる。
【００６２】
起動プロセス中の簡略フロー図を図７に示す。先に議論した電位注入点も示す。加熱中の再循環系への注入が実行可能である。ＲＷＣＵ注入点について、プラントは最初、原子炉水位制御のために降下型のラインアップとなっていることがある。蒸気流量が増大するにつれ、降下が確保される。
【００６３】
この注入手法は、第１の原子炉再循環ポンプを始動させ、停止時冷却を確保し次第、ヒドラジン注入を開始することである。冷却材温度が９３℃（２００°Ｆ）に達したら軽減を実現することができるように、十分なヒドラジンを添加して在庫を構築すべきである。早期起動中にＥＣＰデータが利用不可能である場合には、原子炉冷却材サンプルの溶存気体（酸素および水素）測定を用いてヒドラジンの有効性を評価することが可能となることがある。ヒドラジン注入速度に対する変更のための基準として、これらの測定を使用することもできる。
【００６４】
上で議論したとおり、原子炉冷却材温度が約１７７℃（３５０°Ｆ）まで上昇すると、第１のタービンバイパス弁の開放を必要とするために、また緊急系蒸気駆動ポンプの操作性試験を行うために十分な蒸気流量が利用可能となる（第３段階）。補助蒸気源を有するプラントでは、この温度でＳＪＡＥ系を稼働させることができる。稼働させていない場合には、ＳＪＡＥ系を稼働させることが、典型的には、圧力が１５０ｐｓｉｇを超えて上昇するさなかに行われる最初の活動の１つである。
【００６５】
起動中のプロセスフロー図を図８に示す。この図は、タービンバイパスから復水器への蒸気流を示している。この時点で、復水／給水系を通る流れがいくらかあるが、給水加熱器への蒸気流がないため、給水温度が、通常のプラント運転条件と比較して冷たい。
【００６６】
復水ブースタポンプを考慮してプラントを設計する場合、原子炉圧力が１５０ｐｓｉｇ〜２００ｐｓｉｇであると、典型的には第１のブースタポンプを稼働させる。第１の原子炉給水ポンプは通常、原子炉圧力が４００ｐｓｉｇ〜５００ｐｓｉｇである場合に稼働させる。第１の原子炉給水ポンプを稼働させたら、原子炉温度が２６０℃（５００°Ｆ）を超えるよう、また原子炉圧力が９５０ｐｓｉｇ〜１０００ｐｓｉｇとなるようさらなる制御棒移動を実行する。典型的なＢＷＲ−４起動データは、１７７℃（３５０°Ｆ）から約２７１℃（５２０°Ｆ）まで原子炉温度を上昇させるための時間長が約１２時間であることを示している（平均温度上昇速度１時間当たり約１４°Ｆ）。
【００６７】
水素注入開始前の、起動中および出力上昇中にＮＭＣＡを伴うＢＷＲ−４についての原子炉冷却材および復水の溶存酸素濃度の例が、図９にプロットしてある。原子炉冷却材温度および原子炉出力の傾向も示してある。復水器真空度を確立することによる酸素レベルへの影響が明確に示されている。７００ｐｐｂ超から１００ｐｐｂをはるかに下回るまでの復水酸素の急激な減少は、ＳＪＡＥ運転の開始と一致する。一般に、爆発性混合ガスおよび放射性物質放出に関連する懸念があるため、出力５％を超える前に機械的真空ポンプを確保することがプラントに要求される。原子炉冷却材溶存酸素が、１０６℃（２２３°Ｆ）の温度における約４００ｐｐｂから、約１８４℃（３６３°Ｆ）の温度における約１００ｐｐｂまで減少した。復水酸素が１００ｐｐｂ未満まで減少した際、冷却材溶存酸素は約１６ｐｐｂであった。
【００６８】
図９のプラント出力データ点は、冷却材温度がまず２６０℃（５００°Ｆ）を上回るまで上昇した時、出力が８〜９％であったことを示している。
【００６９】
出力５％による重大な蒸気流量点（約１５０ｐｓｉｇにある原子炉圧力）からＥＣＰを下げるためのヒドラジン要求は、水素注入開始前の、図９に示す溶存酸素傾向に基づくと比較的低い。この期間中にＲＷＣＵへの注入を行うことに問題はない。というのは、この段階中にＲＷＣＵからの下降が確保され、給水流量の増大により給水配管中の滞留時間がより短くなるためである。再循環系サンプルラインへの注入も許容範囲にあるはずである。可能な場合には、ＲＷＣＵ溶存ガス測定およびＥＣＰを用いて有効性の監視を行うことができる。
【００７０】
出力５％に達した後、プラントは、回転およびグリッドへの同期のための準備中に主要タービンの加温開始に十分な蒸気を提供するために、原子炉の圧力および温度を上昇させることに重点を置くことになる。プラントは、典型的には出力約２０％でグリッドと同期する。原子炉冷却材溶存酸素レベルは、放射線分解反応からの酸化剤により、また場合によっては、副系としての空気漏入量（ａｉｒ  ｉｎｌｅａｋａｇｅ）の増大による復水／給水系からの酸素入力の増大からの酸化剤により増大することになり、復水器と直接連通している構成部品をまず稼働させる。
【００７１】
起動中腐食からＢＷＲ原子炉を保護する方法を上述している。本発明の様々な詳細は、その範囲を逸脱することなく変更することができる。さらに、本発明の好ましい諸実施形態についての上記説明および本発明を実施するための最良の形態は、説明の目的のために提供されているにすぎず、限定の目的のために提供されているのではない。
【図１】
2010054499.tif 000003
【図２】
2010054499.tif 000004
【図３】
2010054499.tif 000005
【図４】
2010054499.tif 000006
【図５】
2010054499.tif 000007
【図６】
2010054499.tif 000008
【図７】
2010054499.tif 000009
【図８】
2010054499.tif 000010
【図９】
2010054499.tif 000011
【外国語明細書】
2010054499.tif 000012
2010054499.tif 000013
2010054499.tif 000014
2010054499.tif 000015
2010054499.tif 000016
2010054499.tif 000017
2010054499.tif 000018
2010054499.tif 000019
2010054499.tif 000020
2010054499.tif 000021
2010054499.tif 000022
2010054499.tif 000023
2010054499.tif 000024
2010054499.tif 000025
2010054499.tif 000026
2010054499.tif 000027
2010054499.tif 000028
2010054499.tif 000029
2010054499.tif 000030
2010054499.tif 000031
2010054499.tif 000032
2010054499.tif 000033
2010054499.tif 000034
【図１】
2010054499.tif 000035
【図２】
2010054499.tif 000036
【図３】
2010054499.tif 000037
【図４】
2010054499.tif 000038
【図５】
2010054499.tif 000039
【図６】
2010054499.tif 000040
【図７】
2010054499.tif 000041
【図８】
2010054499.tif 000042
【図９】
2010054499.tif 000043